(57)【要約】【課題】組み立て工数が少なく保守が容易であり、衝撃による半田クラックが発生することがなく、しかも、経年変化による接触不良の発生することのないアンテナ端子接続構造を提供する。【解決手段】アンテナレセプタクル１のアンテナ端子２をアンテナレセプタクル締着面対して垂直に延びる軸部２ａの先端に立ち上げ部２ｂが連なるようにＬ字形に形成し、プリント基板６のパターンに接続される接続端子４に立ち上げ部２ａを挾持する一対のく字形状部４ａ、４ａを軸部２ａの先端に向けて間隔が狭くなるように形成する共に軸部２ａの先端方向に高くなる傾斜舌片を設け、アンテナレセプタクル１をシャーシに締着するとき、立ち上げ部２ｂがく字形状部４ａ、４ａを弾力に抗して押し広げ軸部２ａが前記傾斜舌片を弾力に抗して変形させることにより立ち上げ部２ｂがく字形状部４ａ、４ａに圧接され、軸部２ａが前記傾斜舌片に圧接されるように構成した。【選択図】        図１
2004227823.tif 000002
【特許請求の範囲】
【請求項１】
アンテナレセプタクルのアンテナ端子を前記アンテナレセプタクル締着面対して垂直に延びる軸部の先端に立ち上げ部が連なるようにＬ字形に形成し、プリント基板のパターンに接続される接続端子に前記立ち上げ部を挾持する一対のく字形状部を前記軸部の先端に向けて間隔が狭くなるように形成する共に前記軸部の先端方向に高くなる傾斜舌片を設け、前記アンテナレセプタクルをシャーシに締着するとき、前記立ち上げ部が前記く字形状部を弾力に抗して押し広げ前記軸部が前記傾斜舌片を弾力に抗して変形させることにより前記立ち上げ部が前記く字形状部に圧接され、前記軸部が前記傾斜舌片に圧接されるように構成したアンテナ端子の接続構造。
【請求項２】
前記アンテナレセプタクルのボディとシャーシの間に挟み込まれるアース端子に前記アンテナ端子と接続端子との接触部を覆うシールドカバーを一体に形成し、前記ボディが前記アース端子を挟みこんでシャーシに締着された状態でシールドカバーがプリント基板を介して前記シャーシに締着される請求項１のアンテナ端子の接続構造。
【発明の詳細な説明】
【０００１】
【発明の属する技術分野】
この発明はアンテナ端子の接続構造に係わり、特に、無線機器に好適なアンテナ端子の接続構造に関する。
【０００２】
【従来の技術】
従来の無線機器のアンテナ端子の接続構造の例を図４および図５により説明する。図に示すアンテナレセプタクル７はボディ７ａがアースとなっており、ボディ７ａに設けられた穴７ｂ、７ｂおよびアース端子９の穴９ｂ、９ｂを挿通しシャーシ３のねじ穴３ａにねじ込まれるねじ１４、１４（図では１個のみ示している）によりアース端子９を挟みこむようにしてシャーシ３に締着される。
【０００３】
アンテナレセプタクル７のアンテナ端子８はボディ７ａの締着面に対して垂直に延びており、図５に示すように、プリント基板６に半田付けされたされた接続端子１６に半田付けされる。接続端子１６は図４に詳しく示すように、プリント基板６のアンテナ入力パターン６ａに設けられた穴６ｃに差し込まれてアンテナ入力パターン６ａに半田付けされている。
【０００４】
アース端子９の舌片９ａに設けられた穴９ｃはシールドカバー１０の一方の穴１０ａとプリント基板６の穴６ｄを挿通してシャーシ３の底面に設けられたねじ穴３ｂにねじ込まれるねじ１５を挿通させており、アース端子１１の舌片９ａはプリント基板６のアースパターン６ｂに圧接される。
【０００５】
シールドカバー１０の他方の穴１０ａはプリント基板６の穴６ｄを挿通してシャーシ３の底面に設けられたねじ穴３ｂにねじ込まれるねじ１５を挿通させており、シールドカバー１０は２本のねじ１５、１５によりプリント基板６およびシャーシ３に締着される。このようにしてアンテナレセプタクル７のボディ７ａおよびアンテナ端子８はプリント基板６のアースパターン６ｂおよびアンテナ入力パターン６ａに夫々接続され、アンテナ端子８と接続端子１６の接続部はシールドカバー１０に覆われる。
【０００６】
図６に示す従来の他のアンテナ端子の接続構造では、図４および図５で説明したものと同様のアンテナレセプタクル７が穴７ｂ、７ｂおよびアース端子１１の穴１１ｂ、１１ｂを挿通するねじ１４、１４をシャーシ３のねじ穴３ａ、３ａにねじ込むことによりアース端子１１を挟んでシャーシ３に締着される。
【０００７】
プリント基板６はシャーシのねし穴３ｂ、３ｂにねじ込まれるねじによりシャーシ３に締着される。ピン１２はプリント基板６のアンテナ入力パターン６ａに設けられた穴６ｃに差し込まれてアンテナ入力パターン６ａに半田付けされている。ピン１３はプリント基板６のアースパターン６ｂに設けられた穴６ｄに差し込まれてアースパターン６ｂに半田付けされている。アンテナレセプタクル７のアンテナ端子８およびアース端子１１の舌片１１ａが夫々ピン１２および１３に半田付けされて、アンテナレセプタクル７のボディ７ａおよびアンテナ端子８はプリント基板６のアースパターン６ｂおよびアンテナ入力パターン６ａに接続される。
【０００８】
図７に示す従来のさらに他のアンテナ端子の接続構造は、図６で説明したアンテナ端子の接続構造におけるピン１２および１３の先端部が曲げられており、半田付けし易い構造となっている。他の構成は図６に示すものと同様である。
【０００９】
上記した従来のアンテナ端子の接続構造では、アンテナレセプタクル７のアンテナ端子８が接続端子１６やピン１２に半田付けされるため、組み立て工数が多くなり、また、プリント基板を外すことが面倒となるため、保守がしにくいという問題があった。また、落下などにより衝撃がアンテナレセプタクルに加わった場合に半田クラックやピン折れが生じる恐れがあった。
【００１０】
また、図４および図５に示すものはアンテナ端子の接続部をシールドするシールドカバー１０がアース端子９と別部品となっているため、部品点数や組み立て工数が多くなるという問題があった。
【００１１】
特開平１１−２６０４７号公報に提案されたアンテナ端子接続構造では、プリント基板に取り付けられたベース部に一体成形された波形状の板バネ部にアンテナ端子を圧接している。この構造ではアンテナ端子を半田付けする必要がないが、細い棒状のアンテナ端子を横方向に押し付ける構造であるため、経年変化によりアンテナ端子が変形すると十分な接触圧が得られなくなるという問題が発生する。
【００１２】
【特許文献１】
特開平１１−２６０４７号公報（第２頁、図１）
【００１３】
【発明が解決しようとする課題】
この発明は上記した点に鑑みてなされたものであって、その目的とするところは、組み立て工数が少なく保守が容易であり、衝撃による半田クラックが発生することがなく、しかも、経年変化による接触不良の発生することのないアンテナ端子接続構造を提供することにある。
【００１４】
この発明の他の目的は、部品点数や組み立て工数が少なく、しかもアンテナ端子の接続部をシールドすることができるアンテナ端子接続構造を提供することである。
【００１５】
【課題を解決するための手段】
この発明のアンテナ端子の接続構造は、アンテナレセプタクルのアンテナ端子を前記アンテナレセプタクル締着面対して垂直に延びる軸部の先端に立ち上げ部が連なるようにＬ字形に形成し、プリント基板のパターンに接続される接続端子に前記立ち上げ部を挾持する一対のく字形状部を前記軸部の先端に向けて間隔が狭くなるように形成する共に前記軸部の先端方向に高くなる傾斜舌片を設け、前記アンテナレセプタクルをシャーシに締着するとき、前記立ち上げ部が前記く字形状部を弾力に抗して押し広げ前記軸部が前記傾斜舌片を弾力に抗して変形させることにより前記立ち上げ部が前記く字形状部に圧接され、前記軸部が前記傾斜舌片に圧接されるように構成したものである。
【００１６】
また、前記アンテナ端子の接続構造において、前記アンテナレセプタクルのボディとシャーシの間に挟み込まれるアース端子に前記アンテナ端子と接続端子との接触部を覆うシールドカバーを一体に形成し、前記ボディが前記アース端子を挟みこんでシャーシに締着された状態でシールドカバーがプリント基板を介して前記シャーシに締着されるものである。
【００１７】
【発明の実施の形態】
この発明の実施例のアンテナ端子の接続構造を図面に基づいて説明する。図１はこの発明の実施例であるアンテナ端子の接続構造を示す分解斜視図である。図１に示すアンテナレセプタクル１はボディ１ａがアースとなっており、ボディ１ａに設けられた穴１ｂ、１ｂおよびアース端子５の穴５ｃ、５ｃを挿通しシャーシ３のねじ穴３ａにねじ込まれるねじ１４、１４（図では１個のみ示している）によりアース端子５を挟みこむようにしてシャーシ３に締着される。
【００１８】
アンテナレセプタクル１のアンテナ端子２はボディ１ａの締着面に対して垂直に延びる軸部２ａの先端に立ち上げ部２ｂが連なるようにＬ字形に形成されている。図３にも詳しく示されている接続端子４はそのキンク部４ｂがプリント基板６のアンテナ入力パターン６ａに設けられた穴６ｃ、６ｃに差し込まれてアンテナ入力パターン６ａに半田付けされている。
【００１９】
アース端子５にはシールドカバー５ａがく字状の連結部を介して一体に形成されており、シールドカバー５ａの下部フランジ部に設けられた穴５ｂ、５ｂはプリント基板６の穴６ｄ、６ｄを挿通してシャーシ３の底面に設けられたねじ穴３ｂ、３ｂにねじ込まれるねじ１５、１５（図では１個のみ示している）を挿通させており、シールドカバー５ａはプリント基板６のアースパターン６ｂに圧接される。
【００２０】
図２にアンテナレセプタクル１がシャーシ３に締着された状態をシールドカバー５ａを除いた示している。アンテナレセプタクル１がシャーシ３に締着されるとアンテナレセプタクル１のアンテナ端子２は接続端子４に挾持されるがその状態を図３に示す接続端子４の形状を参照して説明する。
【００２１】
接続端子４には底面の両端から下方に延びるキンク部４ｂ、４ｂと底面から先端方向に立ち上がる傾斜舌片４ｃと底面の両側から立ち上がるく字形状部４ａ、４ａが板ばね材により一体に形成されている。く字形状部４ａ、４ａの上端部の間隔は図３（ｃ）に示すようにアンテナレセプタクル１に近い方前側の寸法Ａが先端側の寸法Ｂより大きくなるように変化している。なお、図３（ａ）ではく字形状部４ａ、４ａを押し広げた状態で示している。
【００２２】
アンテナレセプタクル１をシャーシ３に締着するときは接続端子４の立ち上げ部３ｂがく字形状部４ａ、４ａを押し広げながら接続端子４に入り込む。このとき接続端子４の軸部２ａは接続端子４の傾斜舌片４ｃを押し下げて軸部２ａが傾斜舌片４ｃに圧接されるが接続端子４の立ち上げ部３ｂがく字形状部４ａ、４ａに挾持されているので軸部２ａが上方に変形しにくく軸部２ａと傾斜舌片４ｃとの十分な接触圧力が得られる。
【００２３】
また、く字形状部４ａ、４ａの幅が広いため経年変化による変形が生じることなく、く字形状部４ａ、４ａと立ち上げ部３ｂとの間の接触圧力が変化することがない。
【００２４】
このようにしてアンテナレセプタクル１のボディ１ａおよびアンテナ端子２は組み立て時に半田付けすることなくプリント基板６のアースパターン６ｂおよびアンテナ入力パターン６ａに接続され、アンテナ端子２と接続端子４の接続部はシールドカバー５ａおよびシールドカバー５ａの連結部に覆われ、ノイズの侵入が防止される。そして、シールドカバー５ａはアース端子５と一体に形成されているので部品点数および組み立て工数が削減される。
【００２５】
【発明の効果】
この発明のアンテナ端子接続構造によれば、アンテナレセプタクルの取り付け時に半田付けする必要がないため、プリント基板がねじを外すだけで取り外しが可能となり、保守が容易となる。
【００２６】
また、落下等によりアンテナに衝撃が加わった時の衝撃が接続端子の弾力により吸収され、半田クラック等の不具合が発生しない。
【００２７】
また、アンテナ端子と接続端子との接触圧は幅の広い接続端子の弾力により加えられるため、棒状のアンテナ端子の変形による接触不良が発生しない。
【００２８】
また、シールドカバーはアース端子と一体に形成されているので部品点数および組み立て工数が削減される。
【図面の簡単な説明】
【図１】この発明の実施例であるアンテナ端子の接続構造を示す分解斜視図である。
【図２】同アンテナ端子の接続構造を一部部材を除いて示す斜視図である。
【図３】図３（ａ）は同アンテナ端子の接続構造に用いられる接続端子を示す斜視図、図３（ｂ）は図３（ａ）に於けるＡ−Ａ断面図、図３（ｃ）は同接続端子の自然状態を示す斜視図である。
【図４】従来のアンテナ端子の接続構造の例を示す分解斜視図である。
【図５】同アンテナ端子の接続構造の組み立て状態を示す斜視図である。
【図６】従来のアンテナ端子の接続構造の他の例を示す分解斜視図である。
【図７】従来のアンテナ端子の接続構造の他の例を示す斜視図である。
【符号の説明】
１  アンテナレセプタクル、１ａ  ボディ、１ｂ  穴
２  アンテナ端子、２ａ  軸部、２ｂ  立ち上げ部
３  シャーシ、３ａ、３ｂ  ねじ穴
４  接続端子、４ａ  く字形状部、４ｂ  キンク部、４ｃ  傾斜舌片
５  アース端子、５ａ  シールドカバー、５ｂ、５ｃ  穴
６  プリント基板、６ａ  アンテナ入力パターン、６ｂ  アースパターン
６ｃ  穴、６ｄ  穴
７  アンテナレセプタクル、７ａ  ボディ、７ｂ  穴
８  アンテナ端子
９  アース端子、９ａ  舌片、９ｂ、９ｃ  穴
１０  シールドカバー、１０ａ  穴
１１  アース端子、１１ａ  舌片、１１ｂ  穴
１２  ピン
１３  ピン
１４、１５  ねじ
１６  接続端子
【図１】
2004227823.tif 000003
【図２】
2004227823.tif 000004
【図３】
2004227823.tif 000005
【図４】
2004227823.tif 000006
【図５】
2004227823.tif 000007
【図６】
2004227823.tif 000008
【図７】
2004227823.tif 000009